(57)【要約】【課題】構成の簡素化を通じて装置の低価格化を容易に実現でき、その場合であってもカード媒体への描画品質の劣化を抑制できるレーザマーカ装置を提供する。【解決手段】光ファイバを増幅媒質として利用してパルス状のレーザ光を出射するレーザ出射部１０と、出射されたレーザ光を樹脂製のカード媒体に向けて照射して前記カード媒体を走査するレーザ照射部２０と、レーザ出射部１０およびレーザ照射部２０の動作を制御する制御部３０と、を備えるレーザマーカ装置１において、レーザ出射部１０は、励起光を増幅する一次増幅部を有し、一次増幅部による増幅光を二次増幅部による増幅を経ることなくそのままレーザ光として出射するように構成されており、制御部３０は、レーザ光のパルスおよび照射位置を制御することで、カード媒体の表面にドットを所定解像度で配列するとともに、ドットとは別に補完ドットを配置するように構成されている。【選択図】図１
2020044540.tif 000002
【特許請求の範囲】
【請求項１】
光ファイバを増幅媒質として利用してパルス状のレーザ光を出射するレーザ出射部と、
前記レーザ出射部から出射された前記レーザ光を樹脂製のカード媒体に向けて照射して前記カード媒体を走査するレーザ照射部と、
前記レーザ出射部および前記レーザ照射部の動作を制御する制御部と、を備え、
前記レーザ出射部は、励起光を増幅する一次増幅部を有し、前記一次増幅部による増幅光を二次増幅部による増幅を経ることなくそのまま前記レーザ光として出射するように構成されており、
前記制御部は、前記レーザ光のパルスおよび照射位置を制御することで、前記カード媒体の表面にドットを所定解像度で配列するとともに、前記ドットとは別に補完ドットを配置するように構成されている
ことを特徴とするレーザマーカ装置。
【請求項２】
前記一次増幅部は、前記カード媒体へのマーキングに必要な最低限エネルギーが得られる程度に前記励起光を増幅するものである
ことを特徴とする請求項１に記載のレーザマーカ装置。
【請求項３】
前記補完ドットは、前記ドットによる濃度を面積諧調によって濃度補完するものである
ことを特徴とする請求項１または２に記載のレーザマーカ装置。
【請求項４】
前記所定解像度は、人間の眼の解像限界に対応して設定された解像度である
ことを特徴とする請求項１から３のいずれか１項に記載のレーザマーカ装置。
【請求項５】
前記補完ドットは、前記ドットの主走査方向に沿って配置される
ことを特徴とする請求項１から４のいずれか１項に記載のレーザマーカ装置。
【発明の詳細な説明】
【技術分野】
【０００１】
本発明は、レーザマーカ装置に関する。
【背景技術】
【０００２】
近年、ＩＤカードやパスポート等の樹脂製のカード媒体に対して、偽造防止の観点から、レーザ光を照射して文字や画像等を描画（エングレービング）することが、海外で増えつつある。日本国内においても、マイナンバーカードにレーザエングレービングが導入されており、今後は拡大が予想される。
【０００３】
レーザエングレービングを行うレーザマーカ装置としては、例えば、レーザ光の光源にファイバレーザを用いたものがある（例えば、特許文献１参照）。ファイバレーザは、光ファイバを増幅媒質として利用するため、ＹＡＧレーザ等の固体レーザに比べると、高品質かつ安定した出力を効率的に得ることができ、比較的小型の装置におけるレーザ光源として用いられることが多い。
【先行技術文献】
【特許文献】
【０００４】
【特許文献１】特開２００７−１８１８７３号公報
【発明の概要】
【発明が解決しようとする課題】
【０００５】
上述のとおり、レーザマーカ装置については、カード媒体への描画用として広く普及することが予想されるが、そのためには装置の低価格化が必要不可欠である。つまり、レーザマーカ装置は、光学部品や半導体ＬＤ等を多数使用することから非常に高価な装置であることが一般的であるが、カード媒体への描画用として低価格化することが強く求められている。その一方で、そのためにカード媒体への描画品質が劣化してしまうことは好ましくない。
【０００６】
そこで、本発明は、構成の簡素化を通じて装置の低価格化を容易に実現することができ、しかもその場合であってもカード媒体への描画品質の劣化を抑制することができるレーザマーカ装置を提供することを目的とする。
【課題を解決するための手段】
【０００７】
本発明の一態様によれば、
光ファイバを増幅媒質として利用してパルス状のレーザ光を出射するレーザ出射部と、
前記レーザ出射部から出射された前記レーザ光を樹脂製のカード媒体に向けて照射して前記カード媒体を走査するレーザ照射部と、
前記レーザ出射部および前記レーザ照射部の動作を制御する制御部と、を備え、
前記レーザ出射部は、励起光を増幅する一次増幅部を有し、前記一次増幅部による増幅光を二次増幅部による増幅を経ることなくそのまま前記レーザ光として出射するように構成されており、
前記制御部は、前記レーザ光のパルスおよび照射位置を制御することで、前記カード媒体の表面にドットを所定解像度で配列するとともに、前記ドットとは別に補完ドットを配置するように構成されている
ことを特徴とするレーザマーカ装置が提供される。
【発明の効果】
【０００８】
本発明によれば、レーザ光を利用して樹脂製のカード媒体への描画を行うレーザマーカ装置において、構成の簡素化を通じて装置の低価格化を容易に実現することができ、しかもその場合であってもカード媒体への描画品質の劣化を抑制することができる。
【図面の簡単な説明】
【０００９】
【図１】本発明の一実施形態に係るレーザマーカ装置の概略構成例を模式的に示す説明図である。
【図２】従来の一般的なファイバレーザの構成例を模式的に示す説明図である。
【図３】本発明の一実施形態に係るレーザマーカ装置におけるレーザ出射部の構成例を模式的に示す説明図である。
【図４】本発明の一実施形態に係るレーザマーカ装置の制御部による動作制御の具体的な態様を例示する説明図（その１）である。
【図５】本発明の一実施形態に係るレーザマーカ装置の制御部による動作制御の具体的な態様を例示する説明図（その２）である。
【図６】本発明の他の実施形態に係るレーザマーカ装置の制御部による動作制御の具体的な態様を例示する説明図である。
【発明を実施するための形態】
【００１０】
以下、本発明の一実施形態に係るレーザマーカ装置について、図面を参照しながら説明する。
【００１１】
（１）レーザマーカ装置の全体構成
先ず、本実施形態に係るレーザマーカ装置の全体構成について説明する。
図１は本実施形態に係るレーザマーカ装置の概略構成例を模式的に示す説明図である。
【００１２】
本実施形態に係るレーザマーカ装置１は、処理対象物となるカード媒体２にレーザ光を照射して表面を走査することによって、そのカード媒体２の表面に所望の文字や画像等を描画するように構成されたものである。
【００１３】
レーザ光が照射されるカード媒体２は、樹脂製のものである。さらに詳しくは、ポリカーボネート（ＰＣ）、ポリ塩化ビニル（ＰＶＣ）、グリコール変性ポリエチレンテレフタレート（ＰＥＴ−Ｇ）等の樹脂材料が規格サイズのカード状に成形されてなるものである。このようなカード媒体２は、例えば、ＩＤカード、パスポート、マイナンバーカード等として用いられる。ただし、カード媒体２は、必ずしもこれらの例に限られることはなく、他の用途に用いられるものであっても構わない。
【００１４】
カード媒体２の表面への描画は、描画（マーキング）に必要な最低限エネルギー（例えば、０．１ｍＪ程度）以上のエネルギーのレーザ光の照射に応じて、その照射箇所が発色することで行われる。ただし、適切な描画（マーキング）が行える上限エネルギー（例えば、０．２ｍＪ程度）を超えるエネルギーのレーザ光を照射すると、その照射箇所に焼けが生じてしまうおそれがある。したがって、カード媒体２への描画は、最低限エネルギー以上で、かつ、上限エネルギーを超えないエネルギーを有したレーザ光を用いて行うことが好ましい。
【００１５】
このようなカード媒体２への描画を行うために、本実施形態に係るレーザマーカ装置１は、以下に述べるように構成されている。すなわち、レーザマーカ装置１は、大別すると、レーザ出射部１０と、レーザ照射部２０と、制御部３０と、を備えて構成されている。以下、レーザマーカ装置１を構成する各部１０，２０，３０について、順に説明する。
【００１６】
（２）レーザ出射部の詳細構成
レーザ出射部１０は、カード媒体２への描画（マーキング）に必要なレーザ光を出射するレーザ光源として機能するもので、光ファイバを増幅媒質として利用してパルス状のレーザ光を出射するように構成されている。つまり、レーザ出射部１０は、ファイバレーザを用いて構成されたものである。ファイバレーザを用いることで、レーザ出射部１０は、ＹＡＧレーザ等の固体レーザに比べると、高品質かつ安定した出力を効率的に得ることができる。
【００１７】
ここで、本実施形態におけるレーザ出射部１０の説明に先立ち、従来における一般的な構成のファイバレーザについて簡単に説明する。従来のファイバレーザとしては、励起した種レーザの光の増幅を２段階に分けて行うように構成されたものが一般的である。すなわち、特許文献１の記載からも明らかなように（例えば、段落「００２５」、「図２」等参照）、前段の第１増幅系と、その後段の第２増幅系とで、励起光を増幅するようになっている。
【００１８】
さらに具体的には、ファイバレーザとして、例えば図２に示すように構成されたものが知られている。
図２（ａ）は、ＭＯＰＡ（Master Oscillator Power Amplifier）型ファイバレーザの構成例であり、シードＬＤ（Laser Diode）１１１およびパルスジェネレータ１１２からなるレーザ励起部１１０と、励起ＬＤ１２１、アイソレータ１２２、カプラ１２３および希土類ドープファイバ１２４からなる一次増幅部１２０と、励起ＬＤ１３１、アイソレータ１３２、バンドパスフィルタ１３３、ポンプコンバイナ１３４および希土類ドープファイバ１３５からなる二次増幅部１３０と、伝送ファイバ１４０と、コリメータ１５０と、を備えてファイバレーザが構成されている。
図２（ｂ）は、パルスファイバレーザの構成例であり、励起ＬＤ２１１およびコンパイラ２１２からなるレーザ励起部２１０と、高反射率ＦＢＧ（Fiber Bragg Grating）２２１、Ｙｂファイバ２２２、音響光学スイッチ（ＡＯ−Ｑスイッチ）２２３、低反射率ＦＢＧ２２４およびアイソレータ２２５からなる一次増幅部２２０と、ファイバ増幅器からなる二次増幅部２３０と、伝送ファイバ２４０と、アイソレータコリメータ２５０と、を備えてファイバレーザが構成されている。
つまり、図２（ｂ）および（ｂ）のいずれの構成例においても、ファイバレーザは、レーザ励起部１１０，２１０、一次増幅部１２０，２２０および二次増幅部１３０，２３０を備えて構成されている。このように、励起光の増幅を２段階に分けて行うのは、１段階のみでは達成できないエネルギーのレーザ光を得るためである。
【００１９】
ところで、本実施形態のレーザマーカ装置１は、上述したように、カード媒体２への描画を行うためのものである。つまり、金属レーザ加工等は想定しておらず、レーザ光の照射対象が樹脂製のカード媒体２に限定される。したがって、本実施形態のレーザマーカ装置１では、必ずしも大きなエネルギーのレーザ光を必要とせずに、金属レーザ加工等を想定した場合に比べると、出射するレーザ光のエネルギーを絞ることが可能である。
【００２０】
レーザ光のエネルギーを絞ることが可能であれば、ファイバレーザの構成を見直して、その構成部品、特に励起光を増幅するための部品を削減することが可能となる。つまり、レーザ出射部１０については、カード媒体２への描画に適したレーザ光を得るようにすることで、構成の簡素化および低価格化を実現し得るようになる。
【００２１】
ただし、例えば、励起ＬＤによる励起光をそのままレーザ光として出力することは、必ずしも好適ではない。カード媒体２への描画には最低限エネルギー以上のレーザ光を必要とするところ、励起光のままでは最低限エネルギーに満たないおそれが生じ得るからである。
【００２２】
以上のことを踏まえ、本実施形態においては、レーザ出射部１０が以下に述べるように構成されている。図３は本実施形態におけるレーザ出射部の構成例を模式的に示す説明図である。
【００２３】
本実施形態におけるレーザ出射部１０は、励起光を発するレーザ励起部１１と、その励起光を増幅する一次増幅部１２と、を有している。そして、一次増幅部１２による増幅光を、従来の一般的な構成のファイバレーザのような二次増幅部１３０，２３０による増幅を経ることなく、そのままカード媒体２に照射するレーザ光として出射するように構成されている。
【００２４】
レーザ励起部１１は、励起ＬＤ１１ａを有している。励起ＬＤ１１ａは、例えば、波長９１５ｎｍの種レーザ光を励起光として出力する半導体ＬＤからなるものである。なお、レーザ励起部１１は、種ＬＤが複数の場合には、例えば、波長分割多重方式（Wavelength Division Multiplexing：ＷＤＭ）と呼ばれる信号伝送を行うコンパイラを有して構成されていてもよい。
【００２５】
一次増幅部１２は、高反射率ＦＢＧ１２ａ、Ｙｂファイバ１２ｂ、ＡＯ−Ｑスイッチ１２ｃおよび低反射率ＦＢＧ１２ｄを有している。高反射率ＦＢＧ１２ａは、レーザ励起部１１からの励起光を透過する一方で、反対側から来た光を全反射する回析格子である。Ｙｂファイバ１２ｂは、励起光の増幅媒質となるもので、例えば、Ｙｂの場合であれば、波長９１５ｎｍ励起で発振波長が１０３０〜１０７０ｎｍにて発振するようになっている。ＡＯ−Ｑスイッチ１２ｃは、音響光学スイッチとして、一定の周波数のパルスを形成するものである。低反射率ＦＢＧ１２ｄは、高反射率ＦＢＧ１２ａとの間で励起光を増幅するためのものである。このような構成により、一次増幅部１２は、カード媒体２への描画（マーキング）に必要な最低限エネルギーが得られる程度に、レーザ励起部１１からの励起光を増幅することになる。なお、一時増幅部１２は、低反射率ＦＢＧ１２ｄの後段に戻り光を遮断するためのアイソレータを有していてもよいが、レーザエネルギーが小さければアイソレータを省いた構成とすることが可能である。
【００２６】
また、レーザ出射部１０は、レーザ励起部１１および一次増幅部１２に加えて、拡大光学系レンズ１３およびコリメータ１４を有している。拡大光学系レンズ１３は、アイソレータ１２ｅから出てくるレーザ光の大きさを拡大する光学部品である。コリメータ１４は、拡大光学系レンズ１３によって拡大されたレーザ光を平行光にする光学部品である。
【００２７】
このような構成により、本実施形態におけるレーザ出射部１０は、レーザ励起部１１からの励起光を一次増幅部１２で増幅した上で、二次増幅部１３０，２３０による増幅を経ることなく、コリメータ１４から平行光となったパルス状のレーザ光を出射する。したがって、励起ＬＤによる励起光をそのままレーザ光として出力する場合とは異なり、励起光に対する一次増幅部１２での増幅を経ているため、少なくとも例えば０．１ｍＪ程度のエネルギーのレーザ光、すなわちカード媒体２への描画に必要な最低限エネルギー以上のエネルギーのレーザ光を出射することができる。
【００２８】
つまり、レーザ出射部１０は、出射するレーザ光を樹脂製のカード媒体２への描画に適したエネルギーのものに特化することで、従来の一般的なファイバレーザにおける二次増幅部１３０，２３０の排除を可能とし、これにより構成の簡素化を実現している。構成の簡素化が可能であれば、これに伴い、レーザ出射部１０の小型化および低価格化についても容易に実現することができる。
【００２９】
また、レーザ出射部１０は、二次増幅部１３０，２３０のみならず、伝送ファイバ１４０，２４０についても排除することが可能である。伝送ファイバ１４０，２４０を排除すれば、レーザ光を出射するコリメータ１４は、レーザ励起部１１や一次増幅部１２等の構成部品と同一筐体に組み込まれて一体化される。このことによっても、レーザ出射部１０は、小型化および低価格化を実現する上で有効なものとなる。
【００３０】
（３）レーザ照射部の詳細構成
レーザ照射部２０は、レーザ出射部１０から出射されたレーザ光を、樹脂製のカード媒体２に向けて照射し、そのカード媒体２の表面を走査するように構成されている。つまり、レーザ照射部２０は、レーザ光の照射によってカード媒体２の表面を走査することで、そのカード媒体２の表面へのレーザ光による描画（マーキング）を行うものである。
【００３１】
そのために、本実施形態におけるレーザ照射部２０は、図１に示すように、ガルバノユニット２１と、Ｆ−θレンズ２２と、照射対象となるカード媒体２がセットされるステージ（ただし不図示）と、を有している。
【００３２】
ガルバノユニット２１は、レーザ光をカード媒体２の表面のＸ方向（主走査方向）に走査させるための第一ミラーと、レーザ光をカード媒体２の表面のＹ方向（副主走査方向）に走査させるための第二ミラーと、これら第一ミラーおよび第二ミラーをそれぞれ動作させる二つの駆動モータと、各駆動モータを駆動するためのドライバと、を有して構成されたものである。
【００３３】
Ｆ−θレンズ２２は、ガルバノユニット２１からのレーザ光のＴａｎθを補正して、照射対象となるカード媒体２の表面に集光させるものである。
【００３４】
このような構成により、レーザ照射部２０は、カード媒体２の表面上の二次元領域をレーザ光で走査して、その表面上に所望の文字や画像等を結像させることができる。なお、ここでは、レーザ光の走査を二軸式のガルバノユニット２１を利用して行う場合を例に挙げたが、必ずしもこれに限定されることはなく、他の公知技術（例えば、ポリゴンミラーと移動ステージを組み合わせたもの）を利用したものであっても構わない。
【００３５】
（４）制御部の詳細構成
制御部３０は、レーザ出射部１０およびレーザ照射部２０の動作を制御するものである。具体的には、制御部３０は、レーザ出射部１０によるレーザ光の出射タイミング、レーザ照射部２０における各駆動モータの動作等について、それぞれに動作指示を与えてコントロールするようになっている。
【００３６】
そのために、制御部３０は、ＣＰＵ（central processing unit）やメモリ等といったコンピュータ装置としてのハードウエア資源を有して構成されている。そして、ＣＰＵが所定の制御プログラムを実行することにより、そのプログラム（ソフトウエア）とハードウエア資源とが協働して、レーザ出射部１０およびレーザ照射部２０の動作を制御するようになっている。
【００３７】
なお、制御部３０による動作制御の具体的な態様については後述する。
【００３８】
（５）レーザマーカ装置における処理動作例
次に、上述した構成のレーザマーカ装置１における処理動作例について説明する。
【００３９】
レーザマーカ装置１を利用する場合には、カード媒体２に描画すべき所望の文字や画像等についての画像データを、制御部３０で読み出し可能なように設定しておく。さらには、レーザ光の照射対象となるカード媒体２を、レーザ照射部２０におけるステージにセットしておく。
【００４０】
そして、レーザマーカ装置１が動作を開始すると、制御部３０は、レーザ出射部１０およびレーザ照射部２０に対して動作指示を与える。この動作指示に応じて、レーザ出射部１０は、レーザ光を出射する。また、レーザ照射部２０は、レーザ出射部１０からのレーザ光を、セットされたカード媒体２に向けて照射する。
【００４１】
このとき、レーザ出射部１０は、レーザ励起部１１からの励起光を一次増幅部１２で増幅してレーザ光として出射する。そのため、励起光をそのまま出力する場合とは異なり、カード媒体２への描画を行うことが可能となる最低限エネルギー以上のエネルギー、具体的には例えば０．１ｍＪ程度以上のエネルギーのレーザ光を出射することができる。
【００４２】
しかしながら、カード媒体２への描画を行う際に照射するレーザ光については、上限エネルギー（例えば、０．２ｍＪ程度）を超えない範囲において、大きなエネルギーを確保し得るほうが良好な描画画質を得る上では好ましい。レーザ光のエネルギーによって描画画像の濃度が変わるため、エネルギーに余裕があれば描画画像の濃淡（濃度諧調）を細かく表現できるからである。換言すると、レーザ出射部１０が出射するエネルギーのレーザ光では、必ずしも描画画像の濃淡を細かく表現できるとは限らない。
【００４３】
その一方で、大きなエネルギーのレーザ光を得るために、例えば、レーザ出射部１０に二次増幅部を設けて励起光の増幅を２段階に分けて行うと、上述したようなレーザ出射部１０の小型化および低価格化の実現が困難になってしまう。
【００４４】
そこで、本実施形態のレーザマーカ装置１では、レーザ出射部１０が出射するレーザ光のエネルギーであっても良好な描画画質を得るために、制御部３０がレーザ出射部１０およびレーザ照射部２０に対して、以下に述べるような動作制御を行う。より詳しくは、制御部３０は、レーザ出射部１０およびレーザ照射部２０に対する動作制御を通じて、後述するようにレーザ光のパルスおよび照射位置を制御する。
【００４５】
以下、制御部３０による動作制御の具体的な態様について詳しく説明する。
図４および図５は、本実施形態に係るレーザマーカ装置の制御部による動作制御の具体的な態様を例示する説明図である。
【００４６】
制御部３０による動作制御の態様としては、図４（ａ）および図５（ａ）に例示するシングルパルス制御と、図４（ｂ）〜（ｄ）および図５（ｂ）〜（ｄ）に例示するマルチパルス制御とがある。シングルパルス制御は、カード媒体２への画像描画の際に、制御部３０が原則的に行う基準動作となる制御処理である。また、マルチパルス制御は、カード媒体２に描画すべき画像に応じて、制御部３０が良好な描画画質を得るために行う制御処理である。
【００４７】
シングルパルス制御の場合、図４（ａ）に示すように、制御部３０は、所定パルス幅Ｗのレーザ光を所定周期Ｐで出射するように、レーザ出射部１０に対して動作指示を与える（図中における「ＬＤ」参照）。さらに、制御部３０は、一つのパルスによる出射タイミングの後、次のパルスによる出射タイミングの前に、レーザ光の照射位置を移動させるように、レーザ照射部２０にガルバノユニット２１の動作指示を与える（図中における「Ｇａｌｖ」参照）。
【００４８】
これにより、カード媒体２の表面には、レーザ光の照射位置に描画画像を構成するドット２ａが形成されるとともに、そのドット２ａが所定解像度で配列されることになる。すなわち、カード媒体２の表面には、複数のドット２ａが、主走査方向に所定ピッチ（Δｘ）で並ぶとともに、副走査方向に所定ピッチ（Δｙ）で並ぶように、マトリクス状に配列される。
【００４９】
各ドット２ａの解像度は、高解像度であれば高画質化が図れるが、高解像度であるほど描画処理の負荷増大を招く。そのため、各ドット２ａの解像度は、高画質化と処理負荷抑制とのバランスを考慮し、人間の眼の解像限界に対応して設定されているものとする。具体的には、大凡５０μｍピッチが人間の眼の解像限界と考えられ、それ以上高解像度であっても人間の眼には識別できなくなることから、例えば、Δｘ＝Δｙ＝４２μｍ程度のピッチとなるように、各ドット２ａについての所定解像度を６００ｄｐｉに設定することが考えられる。
【００５０】
所定解像度でドット２ａを配列すると、カード媒体２の表面には、例えば、図５（ａ）に示すような濃度分布の描画画像が得られる。
【００５１】
このようなシングルパルス制御で得られる描画画像よりも濃度諧調表現の自由度を確保して良好な描画画質を実現しようとする場合に、制御部３０は、マルチパルス制御を行う。
【００５２】
マルチパルス制御の場合、図４（ｂ）〜（ｄ）に示すように、制御部３０は、シングルパルス制御の場合と同様に所定解像度で配列するドット２ａに加えて、そのドット２ａとは別に補完ドット２ｂを配置するように、レーザ光のパルスおよび照射位置を制御する。
【００５３】
例えば、図４（ｂ）に示すように、１周期あたりのパルス数ｎをｎ＝２とするマルチパルス制御の場合であれば、制御部３０は、一つの周期Ｐの間に二つのパルスのレーザ光を出射するように、レーザ出射部１０に対して動作指示を与える（図中における「ＬＤ」参照）。さらに、制御部３０は、上述したシングルパルス制御の場合と同様に、レーザ照射部２０にガルバノユニット２１の動作指示を与える（図中における「Ｇａｌｖ」参照）。
【００５４】
これにより、カード媒体２の表面には、同一周期内で出射される一つ目のパルスのレーザ光に応じて、上述したシングルパルス制御の場合と同様にドット２ａが主走査方向に所定ピッチ（Δｘ）で配列されるとともに、同一周期内で出射される二つ目のパルスのレーザ光に応じて、各ドット２ａの間に当該ドット２ａとは別の補完ドット２ｂが配置されることになる。
【００５５】
補完ドット２ｂは、シングルパルス制御で得られるドット２ａによる濃度諧調表現を補完するためのものであり、ドット２ａの場合のような厳密な描画位置精度を必ずしも必要としない。したがって、補完ドット２ｂについては、ドット２ａの場合とは異なり、レーザ照射部２０にガルバノユニット２１を動作させた状態のまま（図中における「Ｇａｌｖ」参照）、レーザ出射部１０が二つ目のパルスのレーザ光を出射することで図中における「ＬＤ」参照）、カード媒体２の表面に形成されたものであってもよい。
【００５６】
このように、１周期あたりのパルス数ｎをｎ＝２とし、それぞれのパルスのレーザ光に応じてドット２ａおよび補完ドット２ｂを配列すると、カード媒体２の表面には、例えば、図５（ｂ）に示すような濃度分布の描画画像が得られることになる。かかる描画画像は、シングルパルス制御で得られる描画画像に比べると、面積当たりのドット数が増えるため、面積諧調法による諧調表現が可能である。したがって、シングルパルス制御で得られる描画画像よりも濃度諧調表現の自由度を確保して良好な描画画質を実現することができる。
【００５７】
なお、マルチパルス制御で得られる描画画像は、所定解像度で配列された各ドット２ａの間に、各ドット２ａとは別の補完ドット２ｂが配置されたものである。そして、補完ドット２ｂは、レーザ光が照射されてカード媒体２が走査される過程において、１周期あたりのパルス数をマルチ化することによって形成されるものである。したがって、マルチパルス制御で得られる描画画像において、補完ドット２ｂは、各ドット２ａが配列される主走査方向に沿って当該各ドット２ａの間に配置され、副走査方向における各ドット２ａの間には配置されない。この点で、単に解像度を変更した場合（例えば、６００ｄｐｉ→１２００ｄｐｉとした場合）における描画画像のドット構成とは相違する。このように、補完ドット２ｂがドット２ａの主走査方向に沿って配置されていれば、二次元走査領域のライン数増加を招くことがないので、濃度諧調表現の自由度を確保しようとしても、そのために描画処理に要する時間が増大してしまうのを抑制することができる。
【００５８】
また、例えば、図４（ｃ）に示すように、１周期あたりのパルス数ｎをｎ＝３とするマルチパルス制御の場合であれば、制御部３０は、一つの周期Ｐの間に二つのパルスのレーザ光を出射するように、レーザ出射部１０に対して動作指示を与える（図中における「ＬＤ」参照）。その他については、上述したパルス数ｎをｎ＝２とする場合と同様である。
【００５９】
これにより、カード媒体２の表面には、所定解像度で各ドット２ａが配列されるとともに、各ドット２ａが配列される主走査方向に沿って、各ドット２ａの間に二つの補完ドット２ｂが配置されることになる。
【００６０】
このように、１周期あたりのパルス数ｎをｎ＝３とし、それぞれのパルスのレーザ光に応じてドット２ａおよび補完ドット２ｂを配列すると、カード媒体２の表面には、例えば、図５（ｃ）に示すような濃度分布の描画画像が得られることになる。かかる描画画像によれば、より一層濃度諧調表現の自由度を確保して良好な描画画質を実現することができる。
【００６１】
なお、ここでは、パルス数ｎをｎ＝２とする場合またはｎ＝３とする場合について説明したが、マルチパルス制御におけるパルス数は、予め設定されているものであれば、例えば、図４（ｄ）に示すように、パルス数ｎをｎ＝Ｉ（Ｉは４以上の自然数）としても構わない。その場合に、カード媒体２の表面には、例えば、図５（ｄ）に示すような濃度分布の描画画像が得られることになる。マルチパルス制御におけるパルス数は、設定されたパルス数が大きくなるほど、補完ドット２ｂが高密度化するので、濃度諧調表現の自由度が高くなる。ただし、パルス数が大きくなると、これに伴って処理負荷の増大を招き得るため、必要となる描画画質に応じてマルチパルス制御におけるパルス数を設定しておくことが考えられる。
【００６２】
以上のようなマルチパルス制御を行うことが可能であれば、制御部３０は、カード媒体２に描画すべき所望の文字や画像等についての画像データに対して、例えば濃度パターン法やディザ法等の面積階調法による画像処理を施す。そして、制御部３０は、画像処理後の画像データに基づいて、レーザ出射部１０およびレーザ照射部２０に対して動作指示を与えることで、マルチパルス制御による描画画像をカード媒体２の表面に形成させる。したがって、レーザ出射部１０が一次増幅部１２で増幅したレーザ光をそのまま出射する場合であっても、カード媒体２の表面上の描画画像について、面積諧調法による諧調表現によって濃度諧調表現の自由度を確保することができ、その結果として良好な描画画質を実現できるのである。
【００６３】
（６）本実施形態における効果
本実施形態によれば、以下に述べる一つまたは複数の効果が得られる。
【００６４】
（ａ）本実施形態のレーザマーカ装置１では、レーザ出射部１０が一次増幅部１２を有しており、その一次増幅部１２による増幅光をそのままカード媒体２に照射するレーザ光として出射する。したがって、レーザ出射部１０については、従来の一般的なファイバレーザにおける二次増幅部１３０，２３０の排除が可能となり、これにより構成の簡素化を実現することが可能となる。構成の簡素化が可能であれば、これに伴い、レーザ出射部１０の小型化および低価格化についても容易に実現することができる。また、レーザ出射部１０は、伝送ファイバ１４０，２４０についても排除可能なので、コリメータ１４がレーザ励起部１１や一次増幅部１２等の構成部品と同一筐体に組み込まれて一体化され、これによっても小型化および低価格化を実現する上で有効なものとなる。
【００６５】
しかも、本実施形態のレーザマーカ装置１では、制御部３０がマルチパルス制御を行ってレーザ光のパルスおよび照射位置を制御することで、カード媒体２の表面にドット２ａを所定解像度で配列するとともに、ドット２ａとは別に補完ドット２ｂを配置するようになっている。したがって、レーザ出射部１０が一次増幅部１２で増幅したレーザ光をそのまま出射する場合であっても、カード媒体２の表面上の描画画像について、面積諧調法による諧調表現によって濃度諧調表現の自由度を確保することができ、その結果として良好な描画画質を実現することができる。
【００６６】
以上のように、本実施形態のレーザマーカ装置１によれば、構成の簡素化を通じて装置の低価格化を容易に実現することができ、しかもその場合であってもカード媒体２への描画品質の劣化を抑制することができる。したがって、ＩＤカード、パスポート、マイナンバーカード等といった樹脂製のカード媒体２への描画用として広く普及させる上で非常に好適なものとなる。
【００６７】
（ｂ）本実施形態のレーザマーカ装置１において、レーザ出射部１０が有する一次増幅部１２は、カード媒体２へのマーキングに必要な最低限エネルギーが得られる程度に励起光を増幅する。つまり、レーザ出射部１０は、出射するレーザ光を、樹脂製のカード媒体２への描画に適したエネルギーのものに特化する。したがって、カード媒体２に照射するレーザ光について、最低限エネルギーに満たないおそれが生じてしまうことがない一方で、エネルギーを絞ることで従来の一般的なファイバレーザにおける二次増幅部１３０，２３０の排除が可能となり、樹脂製のカード媒体２への描画用として非常に好適なものとなる。
【００６８】
（ｃ）本実施形態のレーザマーカ装置１において、カード媒体２の表面に配置する補完ドット２ｂは、所定解像度のドット２ａによる濃度を面積諧調によって濃度補完するものである。つまり、ドット２ａとは別に配置される補完ドット２ｂを利用して、面積当たりのドット数が増えるようにすることで、面積諧調法による諧調表現を可能にしている。したがって、レーザ出射部１０が出射するレーザ光の各パルスのエネルギーの大きさに依らない濃度諧調表現が可能となり、本実施形態のように構成の簡素化を実現したレーザ出射部１０を用いた場合であっても、カード媒体２の表面における描画画像について良好な描画画質を実現する上で非常に好適なものとなる。
【００６９】
（ｄ）本実施形態のレーザマーカ装置１において、各ドット２ａが配列される所定解像度は、人間の眼の解像限界に対応して設定された解像度である。したがって、カード媒体２の表面における描画画像について、必要十分な高画質化が図れる。しかも、補完ドット２ｂを配置する場合であっても、描画画像の解像性に大きな影響を及ぼしてしまうことがなく、面積諧調法による諧調表現を確実なものとすることができる。
【００７０】
（ｅ）本実施形態のレーザマーカ装置１において、補完ドット２ｂは、各ドット２ａが配列される主走査方向に沿って当該各ドット２ａの間に配置され、副走査方向における各ドット２ａの間には配置されない。このように、補完ドット２ｂがドット２ａの主走査方向に沿って配置されていれば、二次元走査領域のライン数増加を招くことがないので、濃度諧調表現の自由度を確保しようとしても、そのために描画処理に要する時間が増大してしまうのを抑制することができる。
【００７１】
（７）変形例等
以上、本発明の一実施形態を具体的に説明したが、本発明は上述の実施形態に限定されるものではなく、その要旨を逸脱しない範囲で種々変更可能である。
【００７２】
例えば、上述した実施形態では、マルチパルス制御の場合において、各ドット２ａの間に補完ドット２ｂを配置する場合を例に挙げて説明したが、本発明はこれに限定されるものではない。つまり、補完ドット２ｂは、必ずしも各ドット２ａと異なる位置に配置されている必要はない。
図６は、他の実施形態に係るレーザマーカ装置の制御部による動作制御の具体的な態様を例示する説明図である。
図６に示す例では、補完ドット２ｂがドット２ａと重なる位置に配置されている。具体的には、マルチパルス制御の場合において、制御部３０は、一つの周期Ｐの間に複数のパルスのレーザ光を出射している間、ガルバノユニット２１の動作を制限するように（図中における「Ｇａｌｖ」参照）、レーザ照射部２０に対して動作指示を与える。これにより、カード媒体２の表面には、ドット２ａと重なる位置に補完ドット２ｂが形成されることになる。
このような態様の制御を行った場合であっても、上述した実施形態の場合と同様に、濃度諧調表現の自由度を確保することができ、その結果として良好な描画画質を実現することができる。
【符号の説明】
【００７３】
１…レーザマーカ装置、２…カード媒体、２ａ…ドット、２ｂ…補完ドット、１０…レーザ出射部、２０…レーザ照射部、３０…制御部
【図１】
2020044540.tif 000003
【図２】
2020044540.tif 000004
【図３】
2020044540.tif 000005
【図４】
2020044540.tif 000006
【図５】
2020044540.tif 000007
【図６】
2020044540.tif 000008
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
光ファイバを増幅媒質として利用してパルス状のレーザ光を出射するレーザ出射部と、
前記レーザ出射部から出射された前記レーザ光を樹脂製のカード媒体に向けて照射して前記カード媒体を走査するレーザ照射部と、
前記レーザ出射部および前記レーザ照射部の動作を制御する制御部と、を備え、
前記レーザ出射部は、励起光を増幅する一次増幅部を有し、前記一次増幅部による増幅光を二次増幅部による増幅を経ることなくそのまま前記レーザ光として出射するように構成されており、
前記制御部は、前記レーザ光のパルスおよび照射位置を制御することで、前記カード媒体の表面にドットを所定解像度で配列するとともに、前記ドットとは別に補完ドットを配置するように構成されており、
前記補完ドットは、前記ドットが配列される副走査方向における各ドット間には配置されず、前記ドットの主走査方向に沿って配置される
ことを特徴とするレーザマーカ装置。
【請求項２】
前記一次増幅部は、前記カード媒体へのマーキングに必要な最低限エネルギーが得られる程度に前記励起光を増幅するものである
ことを特徴とする請求項１に記載のレーザマーカ装置。
【請求項３】
前記補完ドットは、前記ドットによる濃度を面積諧調によって濃度補完するものである
ことを特徴とする請求項１または２に記載のレーザマーカ装置。
【請求項４】
前記所定解像度は、人間の眼の解像限界に対応して設定された解像度である
ことを特徴とする請求項１から３のいずれか１項に記載のレーザマーカ装置。